(57)【要約】【課題】雨傘の使用後傘を閉じると、雨に濡れた傘シート面が外面をなし、雫による床面の濡れや接触による衣類の濡れ等の問題を発生する。また、細長い傘は壁に立てかけると安定性に欠け転倒し易い。【解決手段】傘柄の石突側端部を開口したパイプ状とし、傘柄内に窪み（空間）を設け、該窪みに細長円筒形の傘カバーを収納保持し、必要に応じ引き出して雨に濡れ閉じた傘シート外面を覆い、雫や水滴による濡れを防止する。また、傘を壁などに立て掛ける時には、傘先端の一対の石突を開脚し傘先端の支点を広げ転倒しにくくした後に壁等に立て掛ける。【選択図】図１
2015104657.tif 000002
【特許請求の範囲】
【請求項１】
一端を傘軸と軸芯を同じくする傘柄，他端を石突とする雨傘において、傘柄の石突側端面は円筒パイプ状で開口する傘柄内部に窪みを有し、該窪みと傘軸で構成する傘柄内部空間に、傘カバーが収納可能なことを特徴とする雨傘。
【請求項２】
前記傘柄において、円筒パイプ状外周壁に開口部を設け、該開口部を覆う取り付け取り外し可能な蓋を有することを特徴とする傘柄
【請求項３】
前記雨傘に用いる傘カバーにおいて、細紐を該傘カバーの両端部に繋留し傘柄内に該傘カバーを収納する場合には、傘柄内側から該細紐を引き、該傘カバーを傘柄部内に引き寄せ収納する事のできる事を特徴とする傘カバー。
【請求項４】
前記雨傘において、石突側傘先端金物の中央に凹状溝を設け、該溝にばね付勢により開脚する一対の石突本体を挿入し、支持軸により回転自在に保持し、該石突本体の柄側端面に設けた切欠き溝内に突出したストッパーピンにより、該石突本体の最大開脚角度を制限し、さらに該支持軸挿入先端側に該石突本体の回転を拘束するねじ付き握りを設けた、石突が開脚し傘立てを容易にする事を特徴とする雨傘。
【発明の詳細な説明】
【技術分野】
【０００１】  雨傘の使用後傘を閉じると、雨に濡れた傘シート面が外面をなし、雫による床面の濡れや接触による衣類の濡れを発生する。また、細長い傘は、壁に立てかけても安定性に欠け転倒し易い。このため、傘使用後傘シートに付着する水滴による濡れ防止用カバーと、傘を安定して壁に立てかけやすくする雨傘に関する。
【背景技術】
【０００２】  傘使用後、傘を閉じた時、傘外面の濡れの為に発生する不具合（傘シート外面に付着した水滴による衣類や床面の濡れ）がある。その対策とし各種異なる工夫を凝らした雨傘が存在する。すなわち傘使用後、傘シートを支える主リムを一種類の補助リムを用いて、「傘を反転さし傘を閉じる」傘（特許文献１）、複雑な機構により反転を行う傘（特許文献２，３，４）がある。一方従来型の傘で、傘を覆う事の出来る傘カバーを傘に常時装着しておき、必要な時に広げて傘外面を覆い、その効果で濡れ防止を行う傘（特許文献５、６）がある。
【特許文献１】特開平３−３７００５  傘装置
【特許文献２】特開２００３−０２４１１６  雨傘
【特許文献３】特開２０００−３７２１７  反転する洋傘
【特許文献４】特公平８−８８８２  反転する洋傘
【特許文献５】特開２００２−２７２５１６  傘カバー
【特許文献６】特開２００３−１０２５２７  傘用保護カバー及び該保護カバーを取着してなる雨傘
【０００３】  傘を容易に立てるための発明には、自立傘（特許文献７）、傘自立用吸盤を設けた傘（特許文献８）等がある。
【特許文献７】特開平１０−１３７０１８  自立傘
【特許文献８】特開２００８−０４８９４８  傘自立用石突き装着具および傘
【発明が解決しようとする課題】
【０００４】  以上のような各発明に付帯する各課題は、
１．「特許文献１、２」による反転傘
必要とする強いドーム状の傘シートの張りが得られない。そのため強い風雨の発生する自然条件のもとでは使いにくく、折り畳んだ際傘シートが嵩張り取り扱いにくい。
２．「特許文献３」による反転傘
本発明は、上記１の課題を生じないが、複雑な機構と部品、煩雑な傘操作の手順を要し、高価で重く扱いにくい。
３．「特許文献４」による反転傘
スプリング接続する傘リムの強度が部分的に低下し「閉」から「開」への操作がしにくい。
４．「特許文献５」による傘カバー
傘カバーの非使用時には、傘カバーを傘柄端部に傘軸方向圧縮し束ねるため、柄の部分を傘カバーが占有し、傘柄が掌握しにくい。また、自然の風雨の下では、傘柄の部分は、開いた傘シートの下であっても、飛散する水滴の付着を防止できず、重ね会った状態で存在する傘カバーの隙間に容易に侵入し、傘カバーの外表面が使用前に濡れ現象を起こす。
５．「特許文献６」による傘カバー
短尺多層の硬質円筒で構成し、必要時に各円筒を順次スライド延長し、傘外面全体を覆い傘濡れ面との接触を絶つ発明であるが、傘不使用時には短尺であっても大径の傘カバーが部分的に存在し、該カバー使用時には、階段状の硬質カバーが傘シートを覆い、痩身の傘にはそぐい難い異質の形状となる。
６．「特許文献７」による自立傘
本来傘は細長く、自立装置を用いて自立しても、僅かな外力でも転倒しやすく、また場所を選ばないと立てた傘が邪魔になる場合が多い。そのため、壁際などに立てかけて置くことが好ましく、その場合自立のため傘先に放射上に拡長した多支点はむしろ邪魔になる。
７．「特許文献８」傘自立石突装着具
石突に吸盤を用いるが、吸盤の取り扱いが煩わしく、接触する床面によっては効果に問題を生じる。
【課題を解決するための手段】
【０００５】  傘軸、傘シート、支持リムは広く用いられている従来型の構造で、濡れた傘シートを覆うことのできる防水または撥水性生地（材料）の傘カバーを常時傘柄の内部の収納保管し、必要に応じ外部に引き出し、傘シートを覆う。また傘立てなどの傘専用器具の備えの無い場所で、一時的に傘を放置（保管）する場合には、傘先端の石突部材を逆Ｖ時型に開き（一対の石突部材を開脚し）、傘先支点を広げ壁面等に立てかける。
【発明の効果】
【０００６】  傘使用後、傘シートに付着する水滴による濡れを防ぐための反転傘が有する傘使用時の傘シートの張り不足、反転時の傘シートの嵩張り、複雑な構造とこみいった操作方法などの問題を生じない。また、常時付属する傘カバーを傘柄内に収納することにより、傘カバー非使用時でも傘柄部で嵩張らないため傘柄の掌握の邪魔をせず、必要に応じて収納した傘カバーを外部に引き出し傘シートを覆えば、傘シートからの雨垂れや水滴の飛散による濡れの問題を防止できる。さらに、傘先端の石突を左右に開き傘先端支点間隔を広くし、痩身で不安定な傘を転倒しにくい姿勢で壁などに立てかけることができる。
【図面の簡単な説明】
【０００７】
【図１】  本発明の実施形態を示す部分断面図を含む立面図
【図２】  図１のＡ−Ａ断面を含む側面図
【図３】  傘カバーの外観図
【図４】  傘柄に収納した傘カバーの引き出し側端部の傘柄への装着図
【図５】  傘カバーの引き出し後の傘先端部への固定図
【図６】  図２のＡ部拡大図（石突部断面詳細図）
【図７】  図６のＢ−Ｂ断面図
【図８】  図６から、さらに石突が左右に開いた状態を示す図面
【発明を実施するための最良の形態】
【０００８】  発明の実施の形態例を図に基づいて説明する。図１は、傘柄２、傘軸３、傘シート４、傘先端の石突部５を示す傘１の立面図で、傘柄２は部分的に断面図を示す。【０００９】  傘柄２は傘軸３を中心とする主体部（円柱部）２ａと湾曲し接続する端部２ｂで構成するＪ字型をなし、主体部２ａは傘先端側面（石突５側）が開口する円筒パイプ状で、内部に縦長の窪み２ｃ（内部空間）を有し、該窪み２ｃと傘軸３でなる主体部２ａの内部空間に傘カバー７（円筒状シート）を石突５方向から順次押し入れ（引き込み）収納する。さらに、傘柄主体部２ａの円筒パイプ状外周壁の両側には開口部を有し、該開口部には取り付け取り外し可能な蓋６を設け、傘カバーの取り扱いを容易にする。（図１の傘柄窪み２ｃには収納した傘カバー７は図示してない。）【００１０】  図２は、図１の傘柄２の断面Ａ−Ａを含む、蓋６と傘柄窪み２ｃに収納した傘カバー７等を示す傘１の側面図である。傘柄２の外周面の蓋６は、取り外せば傘柄窪み２ｃ内部に容易に指先を挿入でき、傘カバー７抜け出防止のための傘軸３のフック３ａへの傘カバー７端部の取り付けや、傘柄窪み２ｃ内への傘カバ−７の引き込み収納を容易にする。傘蓋６は、傘柄２に取付けると、傘柄２の握りを阻害しない傘柄２とほぼ同一外径の円筒形の一部をなす。【００１１】傘柄窪み２ｃの奥底部には、外部に貫通する細孔を設け（図示してない）、水滴が流入した場合滞留蓄積するのを防止する。【００１２】  図３で示す傘カバー７は、防水または撥水性の生地（材料）で円筒状をなし、傘シート４全体を覆う寸法形状を有するが、傘柄２に収納し易すく、閉じた傘を傘シート４で覆った際に、だぶつきの少ない柔らかい薄手の生地を用いる。【００１３】  傘カバー７の端部の細穴７ａは、傘柄２に収納時、傘軸３に設けたフック３ａに通しておき、該傘カバー引き出し時、傘柄２から傘カバーの抜け出し脱落を防止する。【００１４】  傘カバー７外周には、傘柄窪み２ｃに収納を容易にするため、直線上（または螺旋状）に一定間隔で数箇所穴の開いた繋留布７ｂ（または輪状をなす紐等）を設け、該傘カバーを伸ばした状態で細紐７ｃを取り付け、傘柄窪み２ｃ内に収納時には、蓋６を外し、傘柄２の開口部より該細紐７ｃを引くことにより傘カバーを傘柄内への引き込みを容易にする。【００１５】  傘カバー７の傘先端側には、Ｖ型切り溝７ｄ、内面には固定バンド（面ファスナー）７ｅを設ける。固定バンド７ｅは、傘カバーを傘柄２に収納後、傘カバーの端部を折り返して傘柄２への固定（図４）や、傘カバー使用時、傘先端石突５部で傘カバー端部を傘と共に強く締め付け、先端部での傘カバーだぶつきや、内部に残留した水滴の漏れを防止する（図５）。【００１６】  石突部５の詳細は、外観図５、図２のＡ部の拡大図６、及び図６のＢ−Ｂ断面図７、８で、石突部の構造、及びその作用を示す。【００１７】  図５、６にて示す傘先端金具８の下部端面中央に傘柄先端側２ｂ方向（石突本体５ａ、５ｂの回転方向に同じ）にスリット（逆凹型）溝を設け、該溝に１対の石突本体５ａ、５ｂの端部を挿入し、支持軸９により支持し、該支持軸９の挿入先端側は傘先端金具８に挿入したスリーブ１０で保持し、更に、つまみ付きねじ１１を支持軸９端面軸心にねじ込んだ状態で石突本体５ａ、５ｂを支持軸９を支点とし回転自在に傘先端金具８に保持する。【００１８】  傘先端金具８端面スリット溝に挿入した石突本体５ａ、５ｂの合わせ面には、バネ１３取付用空間部１４を設け、取付けるバネ１３の両端をそれぞれ石突本体５ａ、５ｂに挿入する。このバネの付勢作用により、石突５ａ、５ｂに対し意図する外力を加えない場合には、石突本体５ａ、５ｂは自動的に以下に述べるストッパーピン１２の位置まで左右に自由に開く。【００１９】  図６のＢ−Ｂ断面図７、および石突５ａ、５ｂが左右に開いた状態を示す側面図８において、先ず石突５ａが先端位置Ｍ１（傘軸位置）から支持軸９を支点としＭ２位置にバネ１３力で開くと、石突支持軸側端面に設けた円弧状切り欠きｍ１（図７）はｍ２位置（図８）に回転移動し、ストッパーピン１２に溝側壁ｗ１が接触し、石突５ａの回転運動を阻止する。同様に相対する他方石突５ｂも、石突５ａと反対方向Ｍ３に開くと、石突５ａとは反対方向に設けた円弧状切り欠き溝が回転し、円弧状切り欠き溝側壁がストッパーピン１２と接触し石突５ｂの回転運動を阻止する。このように石突５ａ、５ｂは、ばね１３の付勢により互いに反対方向に回転し、かつストッパーピン１２により同一角度回転後回転は阻止される。【００２０】  図６において、傘先端金具８端面スリット溝幅Ｌは、挿入する石突５ａ、５ｂの幅ｌより僅かに大きく広く、石突５ａ、５ｂの自由な回転を拘束しないが、つまみ１１を回しスリーブ１０を介し締め付けると、スリーブ１０を先端金具８内に押し込み、その結果石突５ｂを圧迫し、さらに、つまみ１１を回し締め付けると石突５ｂ、５ａが互いに接触し、かつ其の両側も各々傘先端金具８とスリーブ１０端部と接触しその接触圧による摩擦力のため、石突５ａ、５ｂは一体となり個別の回転運動は困難となる。従って石突５ａ、５ｂの先端を軸心位置Ｍ１に移動し、重ね合わせてつまみ１１を締め付けると、ストッパーピン１２の作用と相まって石突５ａ、５ｂ石突の左右回転運動は困難となる。【００２１】  以上のように構成した傘の使用方法は下記の手順による。先ず、傘を壁等に立て掛ける場合には、必要に応じて、つまみ付きねじ１１を回し緩めると、ばね１３の作用で石突５ａ、５ｂが自動的に逆Ｖ字型にストッパピン１２位置まで開き（図７）、傘立てを容易にする。次に傘使用時には、石突５ａ、５ｂを指先で傘軸心へ回転さし重ね合わせ、つまみ付きねじ１１を回して締め付け、石突５ａ、５ｂを傘軸心位置で固定する。
【符号の説明】
【００２２】        １  傘
２  傘柄
２ｃ  傘柄窪み
３  傘軸
４  傘シート
５  傘先端石突部
５ａ、５ｂ  石突本体
６  傘柄蓋
７  傘カバー
７ａ  穴
７ｂ  繋留布
７ｃ  細紐
７ｄ  切り欠き
７ｅ  固定バンド
８  先端金物
９  支持軸
１０  スリーブ
１１  ねじ付きつまみ
１２  ストッパーピン
１３  バネ
【図１】
2015104657.tif 000003
【図２】
2015104657.tif 000004
【図３】
2015104657.tif 000005
【図４】
2015104657.tif 000006
【図５】
2015104657.tif 000007
【図６】
2015104657.tif 000008
【図７】
2015104657.tif 000009
【図８】
2015104657.tif 000010